(57)【特許請求の範囲】
【請求項１】
少なくとも２つの入力装置からの入力信号を受け付ける入力部と、コンテンツデータ及びこのコンテンツデータに関連付けられた関連情報が格納された記憶部とを備える画像管理装置において、
いずれか一の前記入力装置からの入力信号に基づいて、表示対象となる前記コンテンツデータを前記関連情報に基づいて検索して、検索された前記コンテンツデータの表示対象リストを作成する表示対象リスト作成部と、
前記表示対象リスト作成部が作成した前記表示対象リストに基づいて、表示対象となる前記コンテンツデータを複数の表示装置の表示画面にそれぞれ表示するための表示画面生成用信号を生成する表示制御部と
を備え、
前記表示対象リスト作成部は、前記表示装置により表示画面が表示されている状態で、前記一の入力装置から表示対象となるコンテンツデータの変更指示の入力信号を受け付けたら、前記表示対象リストを更新し、
前記表示制御部は、前記表示対象リストに基づいて、それぞれの前記表示装置の一つの前記表示画面に同時に表示可能な前記コンテンツデータを表示するための表示画面生成用信号を生成し、
当該表示画面生成用信号により、それぞれの前記表示装置の一つの前記表示画面に複数のコンテンツデータを同時に表示させることを特徴とする画像管理装置。
【請求項２】
前記入力信号に基づいて、前記記憶部に格納された前記関連情報を更新する関連情報更新部を備えることを特徴とする請求項１記載の画像管理装置。
【請求項３】
前記表示対象リスト作成部は、前記関連情報更新部が前記関連情報を更新した場合でも、前記一の入力装置から表示対象となるコンテンツデータの変更指示の入力信号を受け付けたときのみ表示対象リストを更新することを特徴とする請求項２記載の画像管理装置。
【請求項４】
前記表示制御部は、前記表示装置により表示画面が表示されている状態で前記関連情報更新部が関連情報を更新した場合でも、前記表示対象リスト作成部が前記表示対象リストを更新したときのみ表示画面生成用信号を更新することを特徴とする請求項２記載の画像管理装置。
【請求項５】
前記表示対象リストに基づいて、複数の前記表示装置のうち一部の表示装置に前記コンテンツデータを送出するコンテンツデータ送信部を備え、
前記表示制御部は、前記コンテンツデータ送信部から前記コンテンツデータが送出される前記表示装置以外の表示装置のそれぞれに対して、一つの前記表示画面に同時に表示可能な前記コンテンツデータを表示するための表示画面生成用信号を前記表示対象リストに基づいて生成して送出することを特徴とする請求項１に記載の画像管理装置。
【請求項６】
少なくとも２つの入力装置からの入力信号を受け付ける入力部を備える画像管理装置において、
いずれか一の前記入力装置からの入力信号に基づいて、コンテンツデータ及びこのコンテンツデータに関連付けられた関連情報が格納された記憶装置から、表示対象となる前記コンテンツデータを前記関連情報に基づいて検索して、検索された前記コンテンツデータの表示対象リストを作成する表示対象リスト作成部と、
前記表示対象リスト作成部が作成した前記表示対象リストに基づいて、表示対象となる前記コンテンツデータを複数の表示装置の表示画面にそれぞれ表示するための表示画面生成用信号を生成する表示制御部と
を備え、
前記表示対象リスト作成部は、前記表示装置により表示画面が表示されている状態で、前記一の入力装置から表示対象となるコンテンツデータの変更指示の入力信号を受け付けたら、前記表示対象リストを更新し、
前記表示制御部は、前記表示対象リストに基づいて、それぞれの前記表示装置の一つの前記表示画面に同時に表示可能な前記コンテンツデータを表示するための表示画面生成用信号を生成し、
当該表示画面生成用信号により、それぞれの前記表示装置の一つの前記表示画面に複数のコンテンツデータを同時に表示させることを特徴とする画像管理装置。
【請求項７】
少なくとも２つの入力装置、
それぞれが表示画面を有する複数の表示装置、及び、
前記入力装置からの入力信号を受け付ける入力部と、コンテンツデータ及びこのコンテンツデータに関連付けられた関連情報が格納された記憶部とを備える画像管理装置
を有する画像管理システムにおいて、
前記画像管理装置は
いずれか一の前記入力装置からの入力信号に基づいて、表示対象となる前記コンテンツデータを前記関連情報に基づいて検索して、検索された前記コンテンツデータの表示対象リストを作成する表示対象リスト作成部と、
前記表示対象リスト作成部が作成した前記表示対象リストに基づいて、表示対象となる前記コンテンツデータを表示装置の表示画面に表示するための表示画面生成用信号を生成する表示制御部と
を備え、
前記表示対象リスト作成部は、前記表示装置により表示画面が表示されている状態で、前記一の入力装置から表示対象となるコンテンツデータの変更指示の入力信号を受け付けたら、前記表示対象リストを更新し、
前記表示制御部は、前記表示対象リストに基づいて、それぞれの前記表示装置の一つの前記表示画面に同時に表示可能な前記コンテンツデータを表示するための表示画面生成用信号を生成し、
当該表示画面生成用信号により、それぞれの前記表示装置の一つの前記表示画面に複数のコンテンツデータを同時に表示させることを特徴とする画像管理システム。
【請求項８】
前記表示装置は前記入力装置と少なくとも同数備えられ、それぞれの前記入力装置はいずれかの前記表示装置と対応付けられ、前記入力装置からの入力信号は、対応付けられた前記表示装置の表示画面に前記コンテンツデータを表示するための入力信号を含み、
前記表示対象リスト作成部は、それぞれの前記表示装置に対応して前記表示対象リストを作成する
ことを特徴とする請求項７記載の画像管理システム。
【請求項９】
前記画像管理システムは複数の前記表示装置を備え、
前記画像管理装置は、前記表示対象リストに基づいて、複数の前記表示装置のうち一部の表示装置に前記コンテンツデータを送出するコンテンツデータ送信部を備え、
前記表示制御部は、前記コンテンツデータ送信部から前記コンテンツデータが送出される前記表示装置以外の表示装置のそれぞれに対して、一つの前記表示画面に同時に表示可能な前記コンテンツデータを表示するための表示画面生成用信号を前記表示対象リストに基づいて生成して送出する
ことを特徴とする請求項７記載の画像管理システム。
【請求項１０】
少なくとも２つの入力装置からの入力信号を受け付ける入力部と、コンテンツデータ及びこのコンテンツデータに関連付けられた関連情報が格納された記憶部とを備え、複数の表示装置にそれぞれ表示させるための表示画面生成用信号を生成する画像管理装置におけるコンテンツ表示方法であって、
いずれか一の前記入力装置からの入力信号に基づいて、表示対象となる前記コンテンツデータを前記関連情報に基づいて検索して、検索された前記コンテンツデータの表示対象リストを作成し、
表示装置により表示画面が表示されている状態で、前記一の入力装置から表示対象となるコンテンツデータの変更指示の入力信号を受け付けたら、前記表示対象リストを更新し、
前記表示対象リストに基づいて、表示対象となる前記コンテンツデータを表示装置の表示画面に表示するための表示画面生成用信号を生成し、前記表示対象リストに基づいて、それぞれの前記表示装置の一つの前記表示画面に同時に表示可能な前記コンテンツデータを表示するための表示画面生成用信号を生成し、
当該表示画面生成用信号により、それぞれの前記表示装置の一つの前記表示画面に複数のコンテンツデータを同時に表示させることを特徴とする画像管理装置におけるコンテンツ表示方法。
【請求項１１】
少なくとも２つの入力装置からの入力信号を受け付ける入力部と、コンテンツデータ及びこのコンテンツデータに関連付けられた関連情報が格納された記憶部とを有し、複数の表示装置にそれぞれ表示させるための表示画面生成用信号を生成するコンピュータにより実行されるプログラムであって、
このプログラムが前記コンピュータにより実行されると、このコンピュータを、
いずれか一の前記入力装置からの入力信号に基づいて、表示対象となる前記コンテンツデータを前記関連情報に基づいて検索して、検索された前記コンテンツデータの表示対象リストを作成し、表示装置により表示画面が表示されている状態で、前記一の入力装置から表示対象となるコンテンツデータの変更指示の入力信号を受け付けたら、前記表示対象リストを更新する表示対象リスト作成部と、
前記表示対象リスト作成部が作成した前記表示対象リストに基づいて、表示対象となる前記コンテンツデータを表示装置の表示画面に表示するための表示画面生成用信号を生成する表示制御部と
して機能させ、
前記表示制御部として機能させる際は、前記表示対象リストに基づいて、それぞれの前記表示装置の一つの前記表示画面に同時に表示可能な前記コンテンツデータを表示するための表示画面生成用信号を生成させ、
当該表示画面生成用信号により、それぞれの前記表示装置の一つの前記表示画面に複数のコンテンツデータを同時に表示させることを特徴とするプログラム。
【発明の詳細な説明】
【技術分野】
【０００１】
本発明は、コンテンツデータが格納され、少なくとも２つの入力装置からの入力信号を受け付ける画像管理装置、画像管理システム、画像管理装置におけるコンテンツ表示方法及びプログラムに関する。
【背景技術】
【０００２】
ＰＣ（Personal Computer）を含む画像管理装置の記憶部に、デジタルスチルカメラやスマートフォンなどの撮像装置で撮像したコンテンツデータを格納しておき、この画像管理装置においてコンテンツデータを閲覧する技術は知られている。この際、撮像装置と画像管理装置とをＵＳＢ（Universal Serial Bus）ケーブルで接続し、この状態で撮像装置及び画像管理装置の双方でコンテンツデータを閲覧する技術が提案されている（例えば特許文献１、２参照）。
【先行技術文献】
【特許文献】
【０００３】
【特許文献１】特開２００８−５３４４号公報
【特許文献２】特開２００６−３４０１５０号公報
【発明の概要】
【発明が解決しようとする課題】
【０００４】
上述した従来提案されている技術において、撮像装置と画像管理装置との少なくとも一方においてコンテンツデータを表示する際の回転角等、コンテンツデータに関連付けられたＥｘｉｆ（Exchangeable Image File format）データやメタタグデータが編集された場合、編集されたデータがコンテンツデータの表示に関連するものであった場合、編集結果を速やかに反映させていた。しかしながら、従来提案されている技術のように、速やかに編集結果を反映させると、撮像装置等においてコンテンツデータを閲覧しているユーザは、自らが編集等を行っていない予期せぬタイミングで突然閲覧結果が変更される可能性があった。
【０００５】
本発明は上述した課題に鑑みてなされたものであり、ユーザがコンテンツデータを閲覧する動作を行っている際に、ユーザが予期しうるタイミングで閲覧結果を変更することの可能な画像管理装置、画像管理システム、画像管理装置におけるコンテンツ表示方法及びプログラムの提供をその目的の一つとしている。
【課題を解決するための手段】
【０００６】
本発明は、少なくとも２つの入力装置からの入力信号を受け付ける入力部と、コンテンツデータ及びこのコンテンツデータに関連付けられた関連情報が格納された記憶部とを備える画像管理装置に適用される。そして、いずれか一の入力装置からの入力信号に基づいて、表示対象となるコンテンツデータを関連情報に基づいて検索して、検索されたコンテンツデータの表示対象リストを作成する表示対象リスト作成部と、表示対象リスト作成部が作成した表示対象リストに基づいて、表示対象となるコンテンツデータを表示装置の表示画面に表示するための表示画面生成用信号を生成する表示制御部とを設け、表示対象リスト作成部が、表示装置により表示画面が表示されている状態で、一の入力装置から表示対象となるコンテンツデータの変更指示の入力信号を受け付けたら、表示対象リストを更新することにより、上述した課題の少なくとも一つを解決している。
【０００７】
表示対象リスト作成部は、表示装置により表示画面が表示されている状態で、一の入力装置から表示対象となるコンテンツデータの変更指示の入力信号を受け付けたら、表示対象リストを更新している。すなわち、表示装置により表示画面が表示されている状態で、一の入力装置から表示対象となるコンテンツデータの変更指示の入力信号を受け付けるまで、表示対象リスト作成部は表示対象リストを更新しない。
【０００８】
ここで、入力信号に基づいて、記憶部に格納された関連情報を更新する関連情報更新部を備えることが好ましい。また、表示対象リスト作成部は、関連情報更新部が関連情報を更新した場合でも、一の入力装置から表示対象となるコンテンツデータの変更指示の入力信号を受け付けたときのみ表示対象リストを更新することが好ましい。この場合、表示制御部は、表示装置により表示画面が表示されている状態で関連情報更新部が関連情報を更新した場合でも、表示対象リスト作成部が表示対象リストを更新したときのみ表示画面生成用信号を更新することが好ましい。
【０００９】
また、表示制御部は、表示対象リストに基づいて、それぞれの表示装置の一つの表示画面に同時に表示可能なコンテンツデータを表示するための表示画面生成用信号を生成することが好ましい。さらに、表示対象リストに基づいて、複数の表示装置のうち一部の表示装置にコンテンツデータを送出するコンテンツデータ送信部を設けることが好ましく、この場合、表示制御部は、コンテンツデータ送信部からコンテンツデータが送信される表示装置以外の表示装置のそれぞれに対して、一つの表示画面に同時に表示可能なコンテンツデータを表示するための表示画面生成用信号を表示対象リストに基づいて生成して送出することが好ましい。
【００１０】
また、本発明は、少なくとも２つの入力装置からの入力信号を受け付ける入力部を備える画像管理装置に適用される。そして、いずれか一の入力装置からの入力信号に基づいて、コンテンツデータ及びこのコンテンツデータに関連付けられた関連情報が格納された記憶装置から、表示対象となるコンテンツデータを関連情報に基づいて検索して、検索されたコンテンツデータの表示対象リストを作成する表示対象リスト作成部と、表示対象リスト作成部が作成した表示対象リストに基づいて、表示対象となるコンテンツデータを表示装置の表示画面に表示するための表示画面生成用信号を生成する表示制御部とを設け、表示対象リスト作成部が、表示装置により表示画面が表示されている状態で、一の入力装置から表示対象となるコンテンツデータの変更指示の入力信号を受け付けたら、表示対象リストを更新することにより、上述した課題の少なくとも一つを解決している。
【００１１】
また、本発明は、少なくとも２つの入力装置、表示画面を有する表示装置、及び、入力装置からの入力信号を受け付ける入力部と、コンテンツデータ及びこのコンテンツデータに関連付けられた関連情報が格納された記憶部とを備える画像管理装置を有する画像管理システムに適用される。そして、画像管理装置に、いずれか一の入力装置からの入力信号に基づいて、表示対象となるコンテンツデータを関連情報に基づいて検索して、検索されたコンテンツデータの表示対象リストを作成する表示対象リスト作成部と、表示対象リスト作成部が作成した表示対象リストに基づいて、表示対象となるコンテンツデータを表示装置の表示画面に表示するための表示画面生成用信号を生成する表示制御部とを設け、表示対象リスト作成部が、表示装置により表示画面が表示されている状態で、一の入力装置から表示対象となるコンテンツデータの変更指示の入力信号を受け付けたら、表示対象リストを更新することにより、上述した課題の少なくとも一つを解決している。
【００１２】
ここで、表示装置が入力装置と少なくとも同数備えられ、それぞれの入力装置はいずれかの表示装置と対応付けられ、入力装置からの入力信号は、対応付けられた表示装置の表示画面にコンテンツデータを表示するための入力信号を含む場合、表示対象リスト作成部は、それぞれの表示装置に対応して表示対象リストを作成することが好ましい。加えて、表示制御部は、表示対象リストに基づいて、それぞれの表示装置の一つの表示画面に同時に表示可能なコンテンツデータを表示するための表示画面生成用信号を生成することが好ましい。さらに、画像管理システムは複数の表示装置を備える場合、画像管理装置に、表示対象リストに基づいて、複数の表示装置のうち一部の表示装置にコンテンツデータを送出するコンテンツデータ送信部を設けることが好ましく、さらに、表示制御部は、コンテンツデータ送信部からコンテンツデータが送出される表示装置以外の表示装置のそれぞれに対して、一つの表示画面に同時に表示可能なコンテンツデータを表示するための表示画面生成用信号を表示対象リストに基づいて生成して送出するコンテンツデータ送信部を設けることが好ましい。
【００１３】
さらに、本発明は、少なくとも２つの入力装置からの入力信号を受け付ける入力部と、コンテンツデータ及びこのコンテンツデータに関連付けられた関連情報が格納された記憶部とを備える画像管理装置におけるコンテンツ表示方法に適用される。そして、いずれか一の入力装置からの入力信号に基づいて、表示対象となるコンテンツデータを関連情報に基づいて検索して、検索されたコンテンツデータの表示対象リストを作成し、表示装置により表示画面が表示されている状態で、一の入力装置から表示対象となるコンテンツデータの変更指示の入力信号を受け付けたら、表示対象リストを更新し、表示対象リストに基づいて、表示対象となるコンテンツデータを表示装置の表示画面に表示するための表示画面生成用信号を生成することにより、上述した課題の少なくとも一つを解決している。
【００１４】
そして、本発明は、少なくとも２つの入力装置からの入力信号を受け付ける入力部と、コンテンツデータ及びこのコンテンツデータに関連付けられた関連情報が格納された記憶部とを有するコンピュータにより実行されるプログラムに適用される。そして、このプログラムがコンピュータにより実行されると、このコンピュータを、いずれか一の入力装置からの入力信号に基づいて、表示対象となるコンテンツデータを関連情報に基づいて検索して、検索されたコンテンツデータの表示対象リストを作成し、表示装置により表示画面が表示されている状態で、一の入力装置から表示対象となるコンテンツデータの変更指示の入力信号を受け付けたら、表示対象リストを更新する表示対象リスト作成部と、表示対象リスト作成部が作成した表示対象リストに基づいて、表示対象となるコンテンツデータを表示装置の表示画面に表示するための表示画面生成用信号を生成する表示制御部として機能させることにより、上述した課題の少なくとも一つを解決している。
【発明の効果】
【００１５】
本発明によれば、いずれか一の入力装置からの入力信号に基づいて関連情報更新部が関連情報を更新する度に表示制御部が表示画面生成用信号を更新する態様と比較して、入力装置からの入力信号という、ユーザが明示的に操作を行ったことに基づく入力信号を契機として、表示対象リスト作成部が表示対象リストを更新している。従って、本発明によれば、ユーザがコンテンツファイルを閲覧する動作を行っている際に、ユーザが予期しうるタイミングで閲覧結果を変更することが可能な画像管理装置、画像管理システム、画像管理装置におけるコンテンツ表示方法及びプログラムを提供することができる。
【図面の簡単な説明】
【００１６】
【図１】本発明の第１実施形態である画像管理システムの概略構成を示すブロック図である。
【図２】第１実施形態の画像管理システムを構成する画像管理装置の概略構成を示すブロック図である。
【図３】第１実施形態の画像管理システムを構成する閲覧装置の概略構成を示すブロック図である。
【図４】第１実施形態の画像管理システムの機能構成を示す機能ブロック図である。
【図５】第１実施形態の画像管理装置の記憶部に格納されたコンテンツファイルのデータ構造を示す図である。
【図６】第１実施形態の画像管理装置の記憶部に格納されたコンテンツファイルの格納形態の一例を説明するための図である。
【図７】第１実施形態の画像管理装置の記憶部に格納されたタグテーブルのテーブル構成を示す図である。
【図８】第１実施形態の画像管理装置の記憶部に格納された表示対象リストの構成を示す図である。
【図９】第１実施形態の画像管理システムの動作の一例を説明するためのフローチャートである。
【図１０】第１実施形態の画像管理システムの動作の他の例を説明するためのフローチャートである。
【図１１】第１実施形態の画像管理システムの動作のまた他の例を説明するためのフローチャートである。
【図１２】第１実施形態の画像管理システムの動作のまた他の例を説明するためのフローチャートである。
【図１３】第１実施形態の画像管理システムの動作のまた他の例を説明するためのフローチャートである。
【図１４】本発明の第２実施形態である画像管理システムの機能構成を示す機能ブロック図である。
【発明を実施するための形態】
【００１７】
以下、図面を参照して、本発明の画像管理システムの実施形態について説明する。
（第１実施形態）
図１は、本発明の第１実施形態である画像管理システムの概略構成を示す図である。図１において、第１実施形態の画像管理システムＳは、画像管理装置１、閲覧装置２、撮像装置３、表示装置４及び入力指示装置５を備える。
【００１８】
画像管理装置１は、これら閲覧装置２及び撮像装置３により撮像されたコンテンツファイルを取り込む。なお、本明細書では、コンテンツファイルとして主に画像ファイルを中心に説明するが、コンテンツファイルが動画ファイル等であっても本明細書の説明に大きな変更はなく、適宜適用が可能である。画像管理装置１の詳細については後述する。閲覧装置２及び撮像装置３は、被写体を撮像してコンテンツファイルを生成し、その際、このコンテンツファイルの一部に撮像時刻データ等を付与する。閲覧装置２は例えばスマートフォン、タブレット端末であり、撮像装置３は例えばデジタルスチルカメラである。
【００１９】
閲覧装置２によって撮像されたコンテンツファイルは、無線ＬＡＮ等の無線通信手段を介して画像管理装置１に取り込まれる。また、撮像装置３によって撮像されたコンテンツファイルは、一例として、データ転送ケーブルの一例であるＵＳＢケーブル６を介して画像管理装置１に取り込まれる。あるいは、閲覧装置２及び撮像装置３によって撮像されたコンテンツファイルはメモリーカード７に格納され、このメモリーカード７が画像管理装置１に挿入されることにより画像管理装置１に取り込まれる。
【００２０】
表示装置４は、一例として、データ転送ケーブルの一例であるＨＤＭＩ（High Definition Multimedia Interface：登録商標）ケーブル８により画像管理装置１に接続されている。画像管理装置１から出力される表示画面生成用信号はこのＨＤＭＩケーブル８を介して表示装置４に入力され、表示装置４は、入力された表示画面生成用信号に基づいてその表示画面４ａに画像を表示する。あるいは、表示装置４は、コンポジット映像信号の送受信が可能なＲＣＡ端子を有するケーブル、Ｓ端子を有するケーブルにより画像管理装置１に接続されてもよく、さらには、表示装置４は、コンポーネント映像信号の送受信が可能なＤ端子を有するケーブルにより画像管理装置１に接続されてもよい。あるいは、表示装置４は、無線ＬＡＮ等の無線通信手段を介して画像管理装置１に接続されてもよい。表示装置４は、例えばＴＶ、モニタ、スマートフォンやタブレット端末である。
【００２１】
同様に、画像管理装置１から出力される表示画面生成用信号は無線通信手段を介して閲覧装置２に入力され、閲覧装置２は、入力された表示画面生成用信号に基づいてその表示画面２ａに画像を表示する。従って、本実施形態では、閲覧装置２は表示装置としても動作する。なお、以下の説明において、表示装置として動作する閲覧装置２については表示装置４の動作のみ説明し、閲覧装置２における表示動作については適宜説明を省略することがある。
【００２２】
入力指示装置５は、画像管理装置１に対する入力指示等を行う装置であり、いわゆるリモコン（リモートコントローラ）として動作する、この入力指示装置５は、有線または無線通信手段を備え、ユーザが入力指示装置５を操作することにより入力される入力信号を有線または無線通信手段により画像管理装置１に送信する。
【００２３】
画像管理装置１及び閲覧装置２は、それぞれ無線通信手段を介して無線アクセスポイント（ＡＰ）９との間で無線通信が可能とされている。この無線アクセスポイント９及び画像管理装置１そのものは、スイッチングハブ等の中継機器１０を介してＬＡＮ１１に接続されている。ＬＡＮ１１は、ルータ１２を介してインターネット等のＷＡＮ１３（Wide Area Network）に接続されている。これにより、画像管理装置１及び閲覧装置２は、ＷＡＮ１３上に存在する外部サーバ１４との間でデータの送受信が可能である。
【００２４】
（第１実施形態の画像管理装置の構成）
図２は、本発明の第１実施形態である画像管理システムＳを構成する画像管理装置１の概略構成を示すブロック図である。図２において、本実施形態の画像管理装置１は、ＣＰＵ（Central Processing Unit）２０、ＲＯＭ（Read Only Memory）２１、ＲＡＭ（Random Access Memory）２２、入出力デバイス２３、ＨＤＭＩインタフェース（Ｉ／Ｆ）２４、ネットワークインタフェース（Ｉ／Ｆ）２５、ＨＤＤ（Hard Disk Drive）部２６及び無線ＬＡＮインタフェース（Ｉ／Ｆ）２７を備えており、これらはバスにより互いに接続されている。
【００２５】
ＣＰＵ２０は、後述するＲＯＭ２１内に格納されたファームウェア等のプログラムが実行されることにより、画像管理装置１全体の制御を行う。また、ＣＰＵ２０は、ＲＯＭ２１内に格納されたプログラムが実行されることにより、図４に示すような各機能部としても動作する。図４に示す各機能部の動作については後述する。ＲＯＭ２１には、上述したファームウェア等のプログラムが格納されている。ＲＡＭ２２は画像管理装置１のワークメモリとして機能し、ＣＰＵ２０を含めた画像管理装置１の動作時に一時的に使用されるプログラム、データ等が格納される。
【００２６】
入出力デバイス２３は、入力インタフェース（Ｉ／Ｆ）２３０、入力指示部２３１、カードインタフェース（Ｉ／Ｆ）２３２及びＵＳＢインタフェース（Ｉ／Ｆ）２３３を備える。
【００２７】
入力インタフェース２３０には入力指示部２３１及び入力指示装置５が接続され、ユーザが入力指示部２３１または入力指示装置５を操作することにより入力される入力信号を受信する。入力指示部２３１としては、例えば画像取り込み指示ボタン等が挙げられる。入力指示装置５は、ユーザにより操作される操作位置に対応する複数の操作部５ａを備え、入力指示装置５は、ユーザにより少なくとも一つの操作部５ａが操作されると、操作された操作部５ａに対応する入力信号を出力する。入力指示装置５としては、例えばリモコン、キーボード、マウス等が挙げられ、操作部５ａとしては、これらリモコン等に備えられたボタン等が挙げられる。
【００２８】
カードインタフェース２３２はカードスロット（図略）を備え、このカードスロットに挿入されたメモリーカード７に対してデータの読み出し／書き込みを行う。メモリーカード７の形式に限定はなく、一例としてmini、microを含むＳＤメモリーカード、メモリースティック（登録商標）が好適に挙げられる。ＵＳＢインタフェース２３３はＵＳＢコネクタ（図略）を備え、このＵＳＢコネクタに直接、あるいはＵＳＢケーブル６を介して接続されたＵＳＢ機器３０に対して、ＵＳＢ２．０またはＵＳＢ３．０規格に沿ったデータの読み出し／書き込みを行う。ＵＳＢ機器３０としては、ＵＳＢフラッシュメモリ、ＵＳＢインタフェースを備えた撮像装置３が挙げられる。
【００２９】
ＨＤＭＩインタフェース２４はＨＤＭＩコネクタ（図略）を備え、このＨＤＭＩコネクタにＨＤＭＩケーブル８を介して接続されたＨＤＭＩ出力機器３１に対してＡＶストリーム（映像信号及び音声信号）を出力する。ＨＤＭＩ出力機器３１としては、例えば表示装置４が挙げられる。ネットワークインタフェース２５はネットワークコネクタ（図略）を備え、このネットワークコネクタにネットワークケーブル（図略）を介してルータ１２が接続され、このルータ１２がＷＡＮ１３に接続されることで、外部ネットワークとの間でデータの送受信がされる。このネットワークインタフェース２５は、例えばＩＥＥＥ（The Institute of Electrical and Electronics Engineers）８０２．３規格に基づく有線通信を行うものである。
【００３０】
ＨＤＤ部２６は、ＨＤＤ２６１とＨＤＤインタフェース（Ｉ／Ｆ）２６０とを備える。ＨＤＤ２６１は、記録媒体であるディスクと、このディスクの回転を行う回転部と、ディスクに対してデータの読み出し／書き込みを行うヘッド部とを備える（いずれも不図示）。ＨＤＤインタフェース２６０は、このＨＤＤ２６１に対するデータの読み出し／書き込み指令があった場合に、ＨＤＤ２６１全体の制御を行うとともに、データの読み出し／書き込み制御を行い、読み出されたデータを出力する。また、このＨＤＤ２６１には、閲覧装置２及び撮像装置３等から取り込んだコンテンツファイル６０、及びサムネイルファイル６１、タグテーブル６２、表示対象リスト６３が格納されている。
【００３１】
コンテンツファイル６０をＨＤＤ２６１に格納する手法は任意であるが、一例として、上述のように閲覧装置２及び撮像装置３が撮像して得られたコンテンツファイルをメモリーカード７内に格納し、このメモリーカード７をカードインタフェース２３２のカードスロットに挿入して、入力指示部２３１が操作されたことによりこのメモリーカード７内に格納されたコンテンツファイルをＨＤＤ２６１内に取り込む手法が挙げられる。また、コンテンツファイルを撮像した撮像装置３に接続されたＵＳＢケーブル６をＵＳＢインタフェース２３３のＵＳＢコネクタに挿入して、入力指示部２３１が操作されたことにより撮像装置３内に格納されたコンテンツファイルをＨＤＤ２６１内に取り込んでもよい。また、閲覧装置２及び画像管理装置１の無線ＬＡＮインタフェース２７と無線アクセスポイント９の間で無線通信を確立して、閲覧装置２からの指示によりこの閲覧装置２内に格納されたコンテンツファイルを無線通信経由でＨＤＤ２６１内に取り込んでもよい。さらに、ＷＡＮ１３に存在するコンテンツファイルをルータ１２及びネットワークインタフェース２５を介してＨＤＤ２６１内に取り込んでもよい。コンテンツファイル６０、サムネイルファイル６１、タグテーブル６２及び表示対象リスト６３の詳細な構成については後述する。なお、図２においてコンテンツファイル６０は１つのみ図示されているが、本実施例においてコンテンツファイル６０は複数個ＨＤＤ２６１内に格納されていてもよい。
【００３２】
無線ＬＡＮインタフェース２７は、例えばＩＥＥＥ８０２．１１規格に準拠して無線アクセスポイント９と無線通信を行う。この無線ＬＡＮインタフェース２７は、画像管理装置１を無線ＬＡＮクライアントとして動作させることが可能である。
【００３３】
（第１実施形態の閲覧装置の構成）
図３は、第１実施形態の画像管理システムＳを構成する閲覧装置２の概略構成を示すブロック図である。図３において、閲覧装置２は、ＣＰＵ（Central Processing Unit）４０、ＲＯＭ（Read Only Memory）４１、ＲＡＭ（Random Access Memory）４２、表示デバイス４３、カメラデバイス４４、内部ストレージ部４５、移動体通信モジュール４６０、音声インタフェース（Ｉ／Ｆ）４６１、マイクロフォン４６２、スピーカ４６３、アンテナ４６４、入出力デバイス４７及び無線ＬＡＮインタフェース４８を備え、ＣＰＵ４０、ＲＯＭ４１、ＲＡＭ４２、表示デバイス４３、カメラデバイス４４、内部ストレージ部４５、移動体通信モジュール４６０、入出力デバイス４７、及び無線ＬＡＮインタフェース４８はそれぞれ共通のバスにより接続されている。
【００３４】
ＣＰＵ４０は、ＲＯＭ４１内に格納されたファームウェア等のプログラムがＲＡＭ４２において展開された後で実行されることで、閲覧装置２全体の動作制御を行う。また、ＣＰＵ４０は図略の内部時計を備える。ＲＯＭ４１には、上述のファームウェア等のプログラムや、各種設定データが格納されている。ＲＡＭ４２は、閲覧装置２のワークメモリとして動作し、各種プログラム及びデータが一時的に格納される。
【００３５】
表示デバイス４３は、液晶パネル４３１とこの液晶パネル４３１を駆動させる液晶ドライバ４３０とを備える。液晶パネル４３１は、その表示面が閲覧装置２の表面に露出して設けられている。液晶ドライバ４３０は、表示画面２ａを構成するデータがＣＰＵ４０からこの液晶ドライバ４３０に供給されると、液晶パネル４３１の表示面に所望の表示画面２ａを表示するようにこの液晶パネル４３１を駆動する。
【００３６】
カメラデバイス４４は、カメラモジュール４４１とこのカメラモジュール４４１を駆動させるカメラドライバ４４０とを備える。カメラモジュール４４１は、閲覧装置２の外方に存在する被写体を撮像可能であり、撮像素子と、この撮像素子に対して被写体を結像させるためのレンズ等の結像部とを含む。好ましくは、結像部は、レンズ等の結像素子を駆動する駆動部を備える。カメラドライバ４４０は、カメラモジュール４４１の撮像素子、結像部の動作を制御する。また、カメラドライバ４４０は、カメラモジュール４４１からの出力信号を受け、この出力信号に基づいて、被写体を撮像したコンテンツファイルを生成して出力する。
【００３７】
内部ストレージ部４５は、内部ストレージ４５１と内部ストレージインタフェース（Ｉ／Ｆ）４５０とを備える。内部ストレージ４５１は、例えばフラッシュメモリのような不揮発性半導体メモリであり、閲覧装置２において用いられるアプリケーションプログラム等が格納される。特に、本実施形態の内部ストレージ４５１には、カメラデバイス４４により撮像されたコンテンツファイル６０が適宜格納される。コンテンツファイル６０の詳細については後述する。内部ストレージインタフェース４５０は、この内部ストレージ４５１に対するデータの読み出し／書き込み指令があった場合に、内部ストレージ４５１全体の制御を行うとともに、データの読み出し／書き込み制御を行い、読み出されたデータを出力する。なお、内部ストレージ４５１は、例えばｍｉｃｒｏＳＤのような挿脱可能な不揮発性メモリーカードであってもよく、この場合、内部ストレージインタフェース４５０は、このメモリーカードが装着されるメモリカードスロットをさらに備える。
【００３８】
移動体通信モジュール４６０は、例えばＩＭＴ（International Mobile Telecommunication）−２０００規格に準拠して、アンテナ４６４を介して移動体通信網との間で移動体無線通信を行う。すなわち、移動体通信モジュール４６０は、移動体通信網の基地局から受信した電波をデコードして得られた音声信号を、音声インタフェース４６１を介してスピーカ４６３から発音させ、音声インタフェース４６１を介してマイクロフォン４６２が集音した音声をエンコードして、アンテナ４６４を介して電波として移動体通信網の基地局に送信する。また、移動体通信モジュール４６０は、パケット化されたデータを移動体通信網の基地局との間で送受信をすることで、データ通信を行う。なお、この移動体通信モジュール４６０が対応する規格には、３Ｇ／ＨＳＤＰＡ（3rd Generation/High-Speed Downlink Packet Access）、ＬＴＥ（Long Term Evolution）、ＷｉＭＡＸ（Worldwide Interoperability for Microwave Access）の少なくとも一つが含まれうる。
【００３９】
入出力デバイス４７は、入力インタフェース（Ｉ／Ｆ）４７０、入力指示部４７１、タッチパネル４７２及びＵＳＢインタフェース４７３を備える。
【００４０】
入力インタフェース４７０には入力指示部４７１が接続され、ユーザが入力指示部４７１を操作することにより入力される入力信号を受信する。入力指示部４７１としては、例えば設定入力開始動作指示等を行うファンクションボタン等が挙げられる。タッチパネル４７２は、本実施形態では液晶パネル４３１の表示面の上面に重畳されて設けられ、この液晶パネル４３１の表示面と略同一の大きさを有する。ユーザによりタッチパネル４７２の表面がタッチされ、すなわち、タッチパネル４７２の表面上の特定位置がユーザにより触れられたら、タッチパネル４７２の表面上の特定位置が２次元の座標位置として検出され、この座標位置は入力インタフェース４７０を介して出力される。
【００４１】
ＵＳＢインタフェース４７３はＵＳＢコネクタ（図略）を備え、このＵＳＢコネクタに直接、あるいはＵＳＢケーブルを介して接続されたＵＳＢ機器５０に対して、ＵＳＢ２．０またはＵＳＢ３．０規格に沿ったデータの読み出し／書き込みを行う。ＵＳＢ機器５０としては、ＵＳＢフラッシュメモリ、キーボード等が挙げられる。
【００４２】
無線ＬＡＮインタフェース４８は、無線ＬＡＮインタフェース２７と同様に、例えばＩＥＥＥ８０２．１１規格に準拠して、無線アクセスポイント９と無線通信を行う。この無線ＬＡＮインタフェース４８は、画像管理装置１を無線ＬＡＮクライアントとして動作させることが可能である。
【００４３】
（第１実施形態の画像管理システムの機能構成）
図４は、第１実施形態の画像管理システムＳの機能構成を示す機能ブロック図である。図４において、本実施形態の画像管理システムＳを構成する画像管理装置１は、制御部７０、記憶部７１、入力部７２及び出力部７３を備える。
【００４４】
記憶部７１には、コンテンツファイル６０、サムネイルファイル６１、タグテーブル６２及び表示対象リスト６３が格納されている。コンテンツファイル６０はコンテンツデータ６０ａ及びタグデータ６０ｂを備える。
【００４５】
サムネイルファイル６１は、コンテンツファイル６０のコンテンツデータ６０ａを閲覧装置２、表示装置４の表示画面２ａ、４ａに表示する際に、コンテンツデータ６０ａの解像度（縦×横の画素数等）を削減して、あるいは、コンテンツデータ６０ａがＪＰＥＧ（Joint Photographic Experts Group）データであった場合、その圧縮率等コンテンツの見栄えに関するパラメータを低下させて作成したサムネイルデータを有するファイルである。このようなサムネイルファイル６１は、画像管理装置１から表示装置４へのデータ転送時間の削減、及び、表示装置４の表示画面４ａの解像度の制限等から作成されるものである。ここで、１つのコンテンツファイル６０から、解像度等の異なる複数のサムネイルファイル６１が生成されてもよい。このサムネイルファイル６１は、画像管理装置１へのコンテンツファイル６０取り込み後に制御部７０が自動的に、あるいはユーザからの指示により作成を開始してもよく、あるいは、画像管理装置１が長時間動作を行っていない際に、制御部７０がいわゆるバックグラウンド処理で作成をしてもよい。
【００４６】
以下、閲覧装置２、表示装置４の表示画面２ａ、４ａにコンテンツファイル６０のコンテンツデータ６０ａを表示すると説明した場合、このコンテンツファイル６０に関連するサムネイルファイル６１のサムネイルデータを表示する場合も含むものとする。また、閲覧装置２、表示装置４の表示画面２ａ、４ａにコンテンツファイル６０またはサムネイルファイル６１のコンテンツデータ６０ａまたはサムネイルデータを表示することを、単にコンテンツファイル６０を表示画面２ａ、４ａに表示するとして省略して説明することがある。
【００４７】
タグテーブル６２は、コンテンツファイル６０のタグデータ６０ｂの少なくとも一部を含むタグデータが、このコンテンツファイル６０と関連付けられて格納されたテーブルであり、このタグテーブル６２を構成するタグデータは、後述する関連情報更新部７６によって追加、削除、変更（以下、単に「更新」とのみ説明することがある）が行われうる。表示対象リスト６３は、後述する表示対象リスト作成部７７により作成された、表示装置４による表示対象となるコンテンツファイル６０のリストである。コンテンツファイル６０、タグテーブル６２及び表示対象リスト６３の詳細については後述する。
【００４８】
制御部７０は、画像取り込み部７４、表示制御部７５、関連情報更新部７６、表示対象リスト作成部７７及びコンテンツデータ送信部７８を備える。
【００４９】
画像取り込み部７４は、ユーザからの指示入力、あるいは、画像管理装置１に閲覧装置２、撮像装置３が接続されたことを検知して、これら閲覧装置２、撮像装置３からコンテンツファイル６０を取り込み、取り込んだコンテンツファイル６０を記憶部７１に格納する。コンテンツファイル６０の画像管理装置１への取り込み方の詳細については既に説明したので、ここでの説明は省略する。
【００５０】
表示制御部７５は、記憶部７１に格納されたコンテンツファイル６０（のコンテンツデータ６０ａ）を、閲覧装置２、表示装置４の表示画面２ａ、４ａに表示するための表示画面生成用信号を出力する。
【００５１】
表示対象リスト作成部７７は、いずれか一の入力装置からの入力信号に基づいて、表示対象となるコンテンツファイル６０を関連情報に基づいて検索して、検索されたコンテンツファイル６０の表示対象リスト６３を作成する。ここで、本実施形態における入力装置は、閲覧装置２及び入力指示装置５を含む。また、関連情報とは、コンテンツファイル６０のタグデータ６０ｂまたはタグテーブル６２内のタグデータのうち少なくともタグテーブル６２内のタグデータを含み、記憶部７１に格納されている。
【００５２】
より詳細には、後述するように、入力装置である閲覧装置２または入力指示装置５から、表示装置４における表示対象とするコンテンツファイル６０を抽出するための特定の条件、例えば特定の被写体が撮像された、お正月などの特定の期間に撮像されたといった条件を示す入力信号と、この特定条件に合致するコンテンツファイル６０の検索を指示する入力信号とが出力され、これら入力信号を入力部７２が受け入れると、表示対象リスト作成部７７は、この特定の条件に基づいてタグテーブル６２内のタグデータを検索する。そして、この特定の条件に合致することを示すタグがタグテーブル６２に含まれている場合、表示対象リスト作成部７７は、この特定のタグに関連付けられたコンテンツファイル６０のリスト、すなわち表示対象リスト６３を作成する。以下の説明では、このような特定の条件に合致することを示すタグに関連付けられたコンテンツファイル６０は、特定のグループに分類されているコンテンツファイル６０であるという表現をする。
【００５３】
コンテンツファイル６０とグループとの関係の一例について、図６を参照して説明する。本実施形態においては、図６に示すように、記憶部７１（を構成するＨＤＤ２６１）内には、コンテンツファイル６０が複数のグループであるアルバム５１に関連付けられて格納されている。より詳細には、少なくとも一つのコンテンツファイル６０はアルバム５１に関連付けられており、好ましくは、コンテンツファイル６０は複数のアルバム５１の少なくとも一つのアルバム５１に関連付けられている。従って、一つのコンテンツファイル６０は複数のアルバム５１に関連付けられてもよく、あるいは、どのアルバム５１にも関連付けられていないコンテンツファイル６０も存在しうる。図６に示す例では、「○○子」「お正月」「旅行」等の名称が付けられた複数のアルバム５１が存在し、それぞれのアルバム５１には複数のコンテンツファイル６０が関連付けられている。なお、本実施形態では、記憶部７１内においてコンテンツファイル６０とアルバム５１とを関連付ける手法として、タグテーブル６２に特定のタグデータを入力する手法を例示したが、コンテンツファイル６０とアルバム５１とを関連付ける手法については任意であり、一例として、記憶部７１内にアルバム５１に対応するフォルダを作成してこのフォルダ内にコンテンツファイル６０を格納してもよい。
【００５４】
あるいは、タグテーブル６２内のタグデータに、このタグデータが関連付けられたコンテンツファイル６０が撮像された際の撮像時刻データを示すタグが含まれている場合、表示制御部７５は、コンテンツファイル６０を撮像時刻データの順（早い順、遅い順のいずれでもよい）に表示装置４の表示画面４ａに表示するための表示画面生成用信号を生成してもよい。
【００５５】
そして、表示制御部７５は、表示対象リスト作成部７７が生成した表示対象リスト６３に基づいて、表示対象となるコンテンツデータ６０ａを表示装置４の表示画面４ａに表示するための表示画面生成用信号を生成する。
【００５６】
さらに、表示対象リスト作成部７７は、表示装置４により表示画面４ａが表示されている状態で、一の入力装置から表示対象となるコンテンツファイル６０（のコンテンツデータ６０ａ）の変更指示の入力信号を受け付けたら、表示対象リスト６３を更新する。
【００５７】
一例として、閲覧装置２及び表示装置４のそれぞれの表示画面２ａ、４ａにコンテンツファイル６０が表示された状態で、入力指示装置５をユーザが操作することで、表示対象となるコンテンツファイル６０の変更を指示する入力信号を入力指示装置５が出力し、この入力信号を入力部７２が受け付けると、表示対象リスト作成部７７は、閲覧装置２及び表示装置４のうち少なくとも表示装置４の表示画面４ａに表示するための表示画面生成用信号を更新する。従って、表示制御部７５は、更新された表示対象リスト６３に基づいて、表示対象となるコンテンツファイル６０を表示装置４の表示画面４ａに表示するための表示画面生成用信号を生成する。
【００５８】
表示対象リスト作成部７７が表示対象リスト６３を更新する判断を行う、入力装置からの入力信号は種々存在しうる。一例として、表示対象リスト作成部７７が作成する表示対象リスト６３が、特定のグループに分類されている、言い換えれば特定のアルバム５１に関連付けられているコンテンツファイル６０のリストであった場合、表示対象リスト作成部７７が表示対象リスト６３を更新する判断を行う、入力装置からの入力信号は、新たに特定のアルバム５１に関連付けられているコンテンツファイル６０を表示対象として指定する入力信号や、アルバム５１単位以外の区切り、例えば、アルバム５１と関連付けられていないタグデータを有するコンテンツファイル６０を表示対象として指定する入力信号、さらには、記憶部７１に格納された全てのコンテンツファイル６０を表示対象として指定する入力信号である。あるいは、ユーザが入力装置を操作して、現在表示装置４の表示画面４ａに表示されているコンテンツファイル６０を記憶部７１から削除する指示をする入力信号である。
【００５９】
ここで、本実施形態のように、閲覧装置２が表示装置としての機能を備えることで、画像管理システムＳ全体として表示装置（閲覧装置２、表示装置４）が入力装置（閲覧装置２、入力指示装置５）と少なくとも同数備えられ、それぞれの入力装置がいずれかの表示装置と対応付けられ、さらに、入力装置からの入力信号が、対応付けられた表示装置の表示画面にコンテンツデータ６０ａを表示するための入力信号を含む場合、表示対象リスト作成部７７は、それぞれの表示装置、すなわち閲覧装置２と表示装置４とに対応して表示対象リスト６３を作成することが好ましい。そして、表示制御部７５は、閲覧装置２と表示装置４とに対応して表示対象リスト作成部７７が作成した表示対象リスト６３に基づいて、表示対象となるコンテンツファイル６０を閲覧装置２と表示装置４との表示画面２ａ、４ａに表示するための表示画面生成用信号をそれぞれ生成してもよい。
【００６０】
さらに、表示制御部７５は、閲覧装置２と表示装置４とに対応して表示対象リスト作成部７７が作成した表示対象リスト６３に基づいて、それぞれの表示装置、すなわち閲覧装置２と表示装置４のそれぞれの一つの表示画面２ａ、４ａに同時に表示可能なコンテンツファイル６０を表示するための表示画面生成用信号を生成してもよい。さらには、表示制御部７５は、複数のコンテンツファイル６０を閲覧装置２と表示装置４のそれぞれの一つの表示画面２ａ、４ａに同時に表示するための表示画面生成用信号を生成することが好ましい。このような、表示制御部７５が生成する表示画面生成用信号により閲覧装置２や表示装置４に表示される表示画面２ａ、４ａとしては、いわゆるサムネイル表示と呼ばれる表示画面が好適に挙げられる。このサムネイル表示では、特定のアルバム５１に属する単一または複数のコンテンツファイル６０が表示画面２ａ、４ａで所定の大きさに同時表示される。
【００６１】
あるいは、表示制御部７５は、いわゆるスライドショー表示と呼ばれる表示画面２ａ、４ａを表示するための表示画面生成用信号を生成してもよい。表示制御部７５によるスライドショー表示の態様は任意であり、一例として、コンテンツファイル６０を順次切り替えながら所定時間毎に表示させる態様が挙げられる。当然、表示制御部７５がコンテンツファイル６０を表示させる例としては、上述したスライドショー表示に限定されず、いわゆるフォトブックと呼ばれる、銀塩写真を貼付するためのアルバムに類似した表示をさせてもよい。
【００６２】
ここで、本実施形態のように画像管理システムＳが複数の表示装置（閲覧装置２、表示装置４）を備えている場合において、表示制御部７５は、表示制御部７５から表示画面生成用信号が送出される表示装置以外の表示装置に複数の表示装置のうち一部の表示装置に対して、一つの表示画面に表示可能なコンテンツファイル６０を表示するための表示画面生成用信号を表示対象リスト６３に基づいて生成して送出してもよい。本実施形態の場合、好ましくは、表示制御部７５は、複数の表示装置のうち表示装置４に対して、一つの表示画面４ａに表示可能なコンテンツファイル６０を表示するための表示画面生成用信号を、表示対象リスト作成部７７が表示装置４に対応して作成した表示対象リスト６３に基づいて生成して送出する。
【００６３】
ここで、本実施形態のように画像管理システムＳが複数の表示装置（閲覧装置２、表示装置４）を備えている場合において、コンテンツデータ送信部７８は、表示対象リスト作成部７７が作成した表示対象リスト６３に基づいて、複数の表示装置のうち一部の表示装置にコンテンツファイル６０を送出する。本実施形態の場合、好ましくは、コンテンツデータ送信部７８は、閲覧装置２に対して、表示対象リスト作成部７７が閲覧装置２に対応して作成した表示対象リスト６３に基づいて、コンテンツファイル６０を送出する。
【００６４】
そして、表示制御部７５は、コンテンツデータ送信部７８からコンテンツファイル６０が送出される表示装置以外の表示装置のそれぞれに対して、一つの表示画面に同時に表示可能なコンテンツファイル６０を表示するための表示画面生成用信号を表示対象リスト６３に基づいて生成して送出してもよい。本実施形態の場合、好ましくは、表示制御部７５は、コンテンツデータ送信部７８からコンテンツファイル６０が送出される表示装置である閲覧装置２以外表示装置、すなわち表示装置４に対して、一つの表示画面４ａに同時に表示可能なコンテンツファイル６０を表示するための表示画面生成用信号を、表示対象リスト作成部７７が表示装置４に対応して作成した表示対象リスト６３に基づいて生成して送出する。
【００６５】
表示制御部７５とコンテンツデータ送信部７８との相違について補充する。表示制御部７５は、記憶部７１に格納されたコンテンツファイル６０を、閲覧装置２、表示装置４の表示画面２ａ、４ａに表示するための表示画面生成用信号を出力する。一方、コンテンツデータ送信部７８は、表示対象リスト作成部７７が作成した表示対象リスト６３に基づいて、複数の表示装置、すなわち閲覧装置２、表示装置４のうち一部の表示装置、好ましくは閲覧装置２にコンテンツファイル６０を送出する。すなわち、表示制御部７５は、閲覧装置２、表示装置４がその表示画面２ａ、４ａにコンテンツファイル６０を表示するための表示画面生成用信号を出力する一方、コンテンツデータ送信部７８は、閲覧装置２にコンテンツファイル６０そのものを送出する。
【００６６】
関連情報更新部７６は、入力部７２が受け付けた入力信号に基づいて、記憶部７１に格納された関連情報を更新する。一例として、閲覧装置２及び表示装置４のそれぞれの表示画面２ａ、４ａにコンテンツファイル６０が表示された状態で、閲覧装置２をユーザが操作することでタグテーブル６２内のタグデータの更新を指示する入力信号を閲覧装置２が出力し、画像管理装置１の入力部７２がこの入力信号を受け付け、関連情報更新部７６がこの入力信号に基づいて、更新が指示されたタグテーブル６２内のタグデータを更新する。
【００６７】
そして、表示対象リスト作成部７７は、入力部７２が受け付けた入力信号に基づいて関連情報更新部７６が関連情報を更新した場合でも、一の入力装置から表示対象となるコンテンツファイルの変更指示の入力信号を受け付けたときのみ表示対象リスト６３を更新する。言い換えれば、表示対象リスト作成部７７は、入力部７２が受け付けた入力信号に基づいて関連情報更新部７６が関連情報を更新した場合でも、一の入力装置から表示対象となるコンテンツファイルの変更指示の入力信号を受け付けるまで表示対象リスト６３を更新しない。
【００６８】
一例として、表示制御部７５がコンテンツファイル６０を表示装置４の表示画面４ａに表示させている状態で、閲覧装置２からの入力信号に基づいて、関連情報更新部７６が記憶部７１に格納されているタグデータを更新した場合でも、入力指示装置５から表示対象となるコンテンツファイル６０の変更指示の入力信号を受け付けたときのみ、表示対象リスト作成部７７は、表示対象となるコンテンツファイル６０の変更指示の入力信号を受け付けたことを契機として、表示対象リスト６３を更新する。言い換えれば、表示対象リスト作成部７７は、関連情報更新部７６が記憶部７１に格納されているタグデータを更新した場合でも、入力指示装置５から表示対象となるコンテンツファイル６０の変更指示の入力信号を受け付けるまで、表示対象リスト６３を更新しない。これにより、表示対象リスト６３を更新すべきときにのみ表示対象リスト作成部７７が適切に表示対象リスト６３を更新することができる。
【００６９】
さらに、表示制御部７５は、表示装置により表示画面が表示されている状態で関連情報更新部７６が関連情報を更新した場合でも、表示対象リスト作成部７７が表示対象リスト６３を更新したときのみ表示画面生成用信号を更新する。言い換えれば、表示制御部７５は、表示装置により表示画面が表示されている状態で関連情報更新部７６が関連情報を更新した場合でも、表示対象リスト作成部７７が表示対象リスト６３を更新するまで表示画面生成用信号を更新しない。
【００７０】
一例として、表示装置４により表示画面４ａが表示されている状態で関連情報更新部７６が関連情報を更新した場合でも、表示制御部７５は、表示対象リスト作成部７７が表示対象リスト６３を更新したときのみ表示画面生成用信号を更新する。言い換えれば、表示制御部７５は、表示装置４により表示画面４ａが表示されている状態で関連情報更新部７６が関連情報を更新した場合でも、表示対象リスト作成部７７が表示対象リスト６３を更新するまで表示画面生成用信号を更新しない。
【００７１】
入力部７２は、閲覧装置２、撮像装置３、入力指示装置５を含む外部入力機器から画像管理装置１に入力される各種入力信号を受け付け、受け付けた入力信号を制御部７０に入力し、必要に応じて制御部７０経由で記憶部７１に格納する。出力部７３は、表示画面生成用信号を含む、制御部７０または記憶部７１内の各種データを、閲覧装置２、表示装置４を含む外部出力機器に出力する。
【００７２】
また、本実施形態の画像管理システムＳを構成する閲覧装置２は、表示部７９及び操作部８０を備える。表示部７９は、画像管理装置１を含む外部機器から閲覧装置２に入力される表示画面生成用信号を受け付け、受け付けた表示画面生成用信号に基づいて表示画面２ａを表示する。操作部８０は、ユーザによる操作に対応して入力信号を生成し、この入力信号を画像管理装置１を含む外部機器に出力する。
【００７３】
以上の構成において、制御部７０及び制御部７０を構成する画像取り込み部７４、表示制御部７５、関連情報更新部７６、表示対象リスト作成部７７及びコンテンツデータ送信部７８は主にＣＰＵ２０により構成され、記憶部７１は主にメモリーカード７、ＲＯＭ２１、ＲＡＭ２２及びＨＤＤ部２６により構成され、入力部７２は主に入出力デバイス２３、ネットワークインタフェース２５及び無線ＬＡＮインタフェース２７により構成され、出力部７３は主にＨＤＭＩインタフェース２４、ネットワークインタフェース２５及び無線ＬＡＮインタフェース２７により構成される。また、表示部７９は主に表示デバイス４３により構成され、操作部８０は主に入出力デバイス４７により構成される。図４に示す各機能部の動作については後に詳述する。
【００７４】
（コンテンツファイルのデータ構造）
図５は、本実施形態の画像管理装置１のＨＤＤ２６１内に格納されているコンテンツファイル６０のデータ構造の一例を示す図である。本実施形態のコンテンツファイル６０はＥｘｉｆ規格で定められるファイルフォーマットを有し、そのヘッダ部分９０にタグデータが格納され、さらにサムネイル画像データが格納されたサムネイル画像領域９１、及びコンテンツデータ６０ａが格納されたコンテンツデータ領域９２が設けられている。従って、ヘッダ部分９０に格納されたタグデータが、コンテンツファイル６０のタグデータ６０ｂに相当する。本実施形態のコンテンツファイル６０では、ヘッダ部分９０に格納されたタグデータ６０ｂは、例えば、被写体撮像時に閲覧装置２及び撮像装置３によりコンテンツファイル６０のヘッダ部分９０の所定領域に記述される。
【００７５】
コンテンツファイル６０のヘッダ部分９０には、コンテンツファイル６０を特定するための一意の値（ＩＤ）が記述されるＩＤ領域９３、コンテンツデータ６０ａの画素数が記述される画素数領域９４、コンテンツファイル６０の撮影日時である撮像時刻データが記述される撮影日時領域９５、コンテンツファイル６０の画像管理装置１への取り込み日時が記述される取り込み日時領域９６、コンテンツファイル６０が撮像された閲覧装置２及び撮像装置３の機種名が記述される機種名領域９７、コンテンツファイル６０のコンテンツデータ６０ａが撮像された際の閲覧装置２及び撮像装置３の各種情報、例えば絞り値、焦点距離が記述される撮影情報領域９８、コンテンツファイル６０が撮像されたときに閲覧装置２及び撮像装置３が所在する位置、すなわち撮像位置をＧＰＳシステムにより得た位置情報（例えば緯度、経度、高度情報）が記述されるＧＰＳ情報領域９９、及び画像管理装置１のユーザが各種情報を任意に記述するためのユーザ定義領域１００が設けられている。当然、これ以外の領域をコンテンツファイル６０のヘッダ部分９０に設けることは任意である。
【００７６】
ここで、ヘッダ部分９０の各領域に記述される各種タグデータ６０ｂについて一例を挙げて説明する。撮影日時領域９５には、閲覧装置２及び撮像装置３の内部時計を参考にして、コンテンツファイル６０のコンテンツデータ６０ａが生成されたときの日時、つまり撮影日時を示す撮像時刻データが、一例として“2013/06/01 10:15:24”、すなわち年月日及び秒単位までの時間として記述される。取り込み日時領域９６には、画像管理装置１の図略の内部時計を参考にして、コンテンツファイル６０のコンテンツデータ６０ａが画像管理装置１に取り込まれたときの日時、つまり取り込み日時が、一例として“2013/06/28 18:00:58”、すなわち年月日及び秒単位までの時間として記述される。機種名領域９７には、閲覧装置２及び撮像装置３の機種名が、これら閲覧装置２等の製造者が定めたデータで、一例として「ＸＹＺ−○」として記述される。撮影情報領域９８には、コンテンツファイル６０のコンテンツデータ６０ａが生成された際の閲覧装置２及び撮像装置３の各種情報が、一例として「絞り値Ｆ＝８、シャッタースピード１／１２５」として記述される。ＧＰＳ情報領域９９には、コンテンツファイル６０が生成されたときに閲覧装置２及び撮像装置３が所在する位置をＧＰＳシステムを用いて得た位置情報を示すデータ、より詳細には閲覧装置２等が所在する位置の緯度情報、経度情報及び高度情報が、一例として“lat=+35.09.36.266, lon=+136.54.21.114，alt=50”として記述される。
【００７７】
（タグテーブルの内容）
図７は、本実施形態の画像管理装置１のＨＤＤ２６１内に格納されているタグテーブル６２の内容の一例を示す図である。本実施形態のタグテーブル６２は、アルバムタグテーブル１０１（図７（ａ）参照）、コンテンツタグテーブル１０２（図７（ｂ）参照）及び関連付けタグテーブル１０３（図７（ｃ）参照）を備える。
【００７８】
アルバムタグテーブル１０１は、アルバムＩＤ領域１０１ａ及びアルバム名称領域１０１ｂを備える。アルバムＩＤ領域１０１ａには、個々のアルバム５１を識別するためのＩＤ番号が格納され、アルバム名称領域１０１ｂには、ＩＤ番号で特定されるアルバム５１に付された名称がテキストデータとして格納されている。
【００７９】
コンテンツタグテーブル１０２は、コンテンツＩＤ領域１０２ａ、コンテンツファイル名領域１０２ｂ、回転角領域１０２ｃ、及び撮像時刻領域１０２ｄを備える。コンテンツＩＤ領域１０２ａには、ＨＤＤ２６１に格納されている個々のコンテンツファイル６０を識別するためのＩＤ番号が格納され、コンテンツファイル名領域１０２ｂには、ＩＤ番号で特定されるコンテンツファイル６０のファイル名がテキストデータとして格納され、回転角領域１０２ｃには、このコンテンツファイル６０がどのような角度をもって表示されるかを示す回転角データが格納され、撮像時刻領域１０２ｄにはコンテンツファイル６０の撮像時刻データが格納されている。これら各領域１０２ａ〜１０２ｄのうち、回転角領域１０２ｃ及び撮像時刻領域１０２ｄに格納されたデータは、上述したコンテンツファイル６０のヘッダ部分９０に記述された情報から生成されるものである。従って、このコンテンツタグテーブル１０２にどのような領域を設けるかは、コンテンツファイル６０のヘッダ部分９０に記述された情報に基づいて任意に設定可能である。
【００８０】
関連付けタグテーブル１０３は、コンテンツＩＤ領域１０３ａ及びアルバムＩＤ領域１０３ｂを備える。コンテンツＩＤ領域１０３ａには、コンテンツタグテーブル１０２のコンテンツＩＤ領域１０２ａに記述されたコンテンツファイル６０のＩＤ番号が格納され、アルバムＩＤ領域１０３ｂには、このＩＤ番号で特定されるコンテンツファイル６０が関連付けられたアルバム５１のＩＤ番号が格納される。上述のように、一つのコンテンツファイル６０が複数のアルバム５１に関連付けられることも可能であるので、この場合、コンテンツＩＤ領域１０３ａには同一のコンテンツファイル６０のＩＤ番号が複数格納されて、このコンテンツファイル６０に関連付けられた個々のアルバム５１のＩＤ番号がアルバムＩＤ領域１０３ｂにそれぞれ記述される。
【００８１】
（表示対象リストの内容）
図８は、本実施形態の画像管理装置１のＨＤＤ２６１内に格納されている表示対象リスト６３の内容の一例を示す図である。本実施形態の表示対象リスト６３は、閲覧リスト１０４、中間リスト１０５及び表示リスト１０６を備える。
【００８２】
閲覧リスト１０４は、閲覧条件に合致するコンテンツファイル６０のそれぞれについて閲覧装置２が送信要求可能なデータが記載されたリストであり、一例として、画像管理システムＳ内においてのみ適用可能なコンテンツファイル６０のネットワーク上のパス、ＵＲＬ等が記載されたリストである。
【００８３】
中間リスト１０５は、閲覧条件に合致するコンテンツファイル６０のそれぞれについて特定が可能なデータが記載されたリストであり、一例として、閲覧条件に合致したコンテンツファイル６０のファイル名が記載されたリストである。
【００８４】
表示リスト１０６は、中間リスト１０５に記述された、閲覧条件に合致したコンテンツファイル６０のうち、その時点での表示装置４の表示画面４ａにおける表示態様を考慮して、この表示画面４ａの一画面に表示可能なコンテンツファイル６０のファイル名が記載されたリストである。図８に示す例では、中間リスト１０５に基づいて、それぞれ表示画面４ａの一画面に表示可能なコンテンツファイル６０のファイル名が記載された表示リスト１０６ａ、１０６ｂが２つ作成されている。表示リスト１０６（１０６ａ、１０６ｂ）の数は、中間リスト１０５に記載されたコンテンツファイル６０のファイル名の数、及び、表示画面４ａにおけるコンテンツファイル６０の表示態様に応じて決定される。
【００８５】
これら閲覧リスト１０４、中間リスト１０５及び表示リスト１０６は、閲覧装置２または入力指示装置５から入力された閲覧条件に基づいて、表示対象リスト作成部７７が作成する。表示対象リスト６３の作成手順の詳細については後述する。
【００８６】
（第１実施形態の画像管理システムの動作）
次に、図９〜図１３のフローチャートを参照して、本実施形態の画像管理システムＳの動作を説明する。図９及び図１０は、本実施形態の画像管理システムＳを構成する画像管理装置１に格納されたコンテンツファイル６０を閲覧装置２により閲覧する動作を説明するためのフローチャートである。
【００８７】
図９に示すフローチャートは、閲覧装置２においてコンテンツファイル６０を閲覧するためのアプリケーションを立ち上げる等の動作により開始する。まず、ステップＳ１では、画像管理装置１の表示制御部７５が、閲覧装置２の表示画面２ａに初期画面を表示するための表示画面生成用信号を生成し、この表示画面生成用信号を出力部７３を介して閲覧装置２に送信する。ステップＳ２では、閲覧装置２の表示部７９がこの表示画面生成用信号を受け付け、表示画面生成用信号に基づいて表示画面２ａに初期画面を表示する。
【００８８】
ステップＳ３では、閲覧装置２の操作部８０が、ユーザにより閲覧条件が入力されるのを待ち、ユーザにより閲覧条件が入力される（ステップＳ３においてＹＥＳ）と、ステップＳ４において、ユーザにより入力された閲覧条件とともに、コンテンツファイル６０の閲覧要求を操作部８０が画像管理装置１に送信する。ここで、閲覧条件とは、閲覧装置２の表示画面２ａに表示すべきコンテンツファイル６０の条件であり、一例として、特定のアルバム５１を指定する条件である。
【００８９】
一方、ステップＳ５では、画像管理装置１の表示対象リスト作成部７７が、閲覧装置２からの閲覧要求を入力部７２が受信するのを待ち、閲覧条件とともに閲覧要求を入力部７２が受信すると（ステップＳ５においてＹＥＳ）、ステップＳ６において、表示対象リスト作成部７７が閲覧条件に基づいて記憶部７１に格納されたコンテンツファイル６０及びタグテーブル６２を検索し、この閲覧条件に合致するコンテンツファイル６０を抽出する。
【００９０】
そして、ステップＳ７では、表示対象リスト作成部７７が、ステップＳ６での抽出結果に基づいて、閲覧条件に合致するコンテンツファイル６０の閲覧リスト１０４を作成する。
【００９１】
ステップＳ８では、画像管理装置１の表示対象リスト作成部７７が、出力部７３を介して閲覧リスト１０４を送信し、ステップＳ９では、閲覧装置２の表示部７９が画像管理装置１から送信された閲覧リスト１０４を受信して、表示部７９においてコンテンツファイル６０を表示する態様に基づいて、表示画面２ａで表示するコンテンツファイル６０に関連付けられたサムネイルファイル６１の送信要求を画像管理装置１に送信する。ステップＳ１０では、コンテンツデータ送信部７８が、閲覧装置２から送信されたサムネイルファイル６１の送信要求に基づいて、送信要求があったサムネイルファイル６１を出力部７３を介して送信する。そして、ステップＳ１１では、表示部７９が、画像管理装置１から送信されたサムネイルファイル６１を表示画面２ａ上に表示する。
【００９２】
表示部７９においてコンテンツファイル６０を表示する態様の具体的内容については、既に説明したようなサムネイル表示、スライドショー表示等種々の態様が可能であるので、ここでは詳細な説明は省略する。表示部７９におけるコンテンツファイル６０の表示態様はユーザにより適宜設定可能である。表示部７９は、設定された表示態様においてどの（時に複数の）コンテンツファイル６０のサムネイルファイル６１が必要であるかを、閲覧リストを参照して決定し、この閲覧リストに記載された情報を用いて、表示が必要なコンテンツファイル６０の送信要求を送信する。
【００９３】
次に、ステップＳ１２〜ステップＳ２０までの動作は、上述したステップＳ３〜ステップＳ１１までの動作と同様であるので、詳細な説明は省略する。但し、ステップＳ１２において、ユーザにより新たな閲覧条件が入力されない（ステップＳ１２においてＮＯ）場合は、プログラムはステップＳ２１に移行し、同様に、ステップＳ１４において閲覧条件とともに閲覧要求を入力部７２が受信しない（ステップＳ１４においてＮＯ）場合は、プログラムはステップＳ２３に移行する点のみが異なる。
【００９４】
次に、ステップＳ２１では、ユーザが閲覧装置２の操作部８０を操作することで、現在表示画面２ａに表示されているコンテンツファイル６０（サムネイルファイル６１）のうち、いずれかのコンテンツファイル６０についての拡大表示要求が入力されたか否かが判断され、拡大表示要求がユーザにより入力された（ステップＳ２１においてＹＥＳ）場合は、プログラムはステップＳ２２に移行し、拡大表示要求がその時点で入力されていない（ステップＳ２１においてＮＯ）場合は、プログラムはステップＳ２６に移行する。ステップＳ２２では、表示部７９が、拡大表示要求が入力されたコンテンツファイル６０、または現在閲覧装置２の表示画面２ａに表示されているサムネイルファイル６１よりも画質が良い、言い換えれば解像度が高い、あるいは圧縮率が低いサムネイルファイル６１の送信要求を画像管理装置１に送信する。コンテンツファイル６０を送信するか、あるいは画質が良いサムネイルファイル６１を送信するかは、例えば画像管理装置１の表示制御部７５が判断する。
【００９５】
一方、ステップＳ２３では、画像管理装置１の入力部７２が、閲覧装置２から送信されたコンテンツファイル６０等の送信要求を受信したか否かが判断され、コンテンツファイル６０等の送信要求を受信した（ステップＳ２３においてＹＥＳ）場合は、プログラムはステップＳ２４に移行し、コンテンツファイル６０の送信要求をこの時点で受信していない（ステップＳ２３においてＮＯ）場合は、プログラムはステップＳ２８に移行する。
【００９６】
ステップＳ２４では、画像管理装置１のコンテンツデータ送信部７８が、送信要求のあったコンテンツファイル６０等を記憶部７１から抽出し、出力部７３を介してこのコンテンツファイル６０等を閲覧装置２に送信する。ステップＳ２５では、画像管理装置１から送信されてきたコンテンツファイル６０等を閲覧装置２の表示部７９が受信し、受信したコンテンツファイル６０等を表示画面２ａに拡大表示する。
【００９７】
次に、ステップＳ２６では、ユーザが閲覧装置２の操作部８０を操作することで、現在表示画面２ａに表示されているコンテンツファイル６０（サムネイルファイル６１）のうち、いずれかのコンテンツファイル６０に関連付けられたタグテーブル６２のタグデータについての編集要求が入力されたか否かが判断され、編集要求がユーザにより入力された（ステップＳ２６においてＹＥＳ）場合は、プログラムはステップＳ２７に移行し、編集要求がその時点で入力されていない（ステップＳ２６においてＮＯ）場合は、プログラムはステップＳ１２に戻り、以降、ステップＳ１２〜ステップＳ２７の動作を繰り返す。ステップＳ２７では、操作部８０を操作することによりユーザが入力した編集・更新後のタグデータを操作部８０が画像管理装置１に送信する。
【００９８】
一方、ステップＳ２８では、画像管理装置１の入力部７２が、閲覧装置２から送信された編集後のタグデータを受信したか否かが判断され、編集後のタグデータを受信した（ステップＳ２８においてＹＥＳ）場合は、プログラムはステップＳ２９に移行し、編集後のタグデータをその時点で受信していない（ステップＳ２８においてＮＯ）場合は、プログラムはステップＳ１４に戻り、以降、ステップＳ１４〜ステップＳ２９の動作を繰り返す。ステップＳ２９では、関連情報更新部７６が、閲覧装置２から送信された編集後のタグデータを用いて、記憶部７１内のタグテーブル６２を更新する。
【００９９】
次に、図１１〜図１３は、本実施形態の画像管理システムＳを構成する画像管理装置１に格納されたコンテンツファイル６０を閲覧装置２により閲覧する動作を説明するためのフローチャートである。
【０１００】
図１１に示すフローチャートは、画像管理装置１を起動する等の動作により開始する。まず、ステップＳ３０では、画像管理装置１の表示制御部７５が、表示装置４の表示画面４ａに初期画面を表示するための表示画面生成用信号を生成し、この表示画面生成用信号を出力部７３を介して表示装置４に送信する。表示装置４は、この表示画面生成用信号を受け付け、表示画面生成用信号に基づいて表示画面４ａに初期画面を表示する。
【０１０１】
ステップＳ３１では、入力指示装置５の操作部５ａがユーザにより操作されることで、閲覧条件が入力されるのを待ち、ユーザにより閲覧条件が入力される（ステップＳ３１においてＹＥＳ）と、ステップＳ３２において、ユーザにより入力された閲覧条件とともに、コンテンツファイル６０の閲覧要求を入力指示装置５が画像管理装置１に送信する。
【０１０２】
一方、ステップＳ３３では、画像管理装置１の表示対象リスト作成部７７が、入力指示装置５からの閲覧要求を入力部７２が受信するのを待ち、閲覧条件とともに閲覧要求を入力部７２が受信すると（ステップＳ３３においてＹＥＳ）、ステップＳ３４において、表示制御部７５が閲覧条件に基づいて記憶部７１に格納されたコンテンツファイル６０及びタグテーブル６２を検索し、この閲覧条件に合致するコンテンツファイル６０を抽出する。
【０１０３】
そして、ステップＳ３５では、表示対象リスト作成部７７が、ステップＳ６での抽出結果に基づいて、閲覧条件に合致するコンテンツファイル６０の中間リスト１０５を作成し、ステップＳ３６では、ステップＳ３５で作成した中間リスト１０５及びこの時点での表示装置４の表示画面４ａにコンテンツファイル６０を表示する表示態様に基づいて、表示対象リスト作成部７７が表示リスト１０６を作成する。
【０１０４】
ステップＳ３７では、表示制御部７５が、ステップＳ３６で作成された表示リスト１０６に記載されたコンテンツファイル６０に対応するサムネイルファイル６１を表示装置４の表示画面４ａに表示するための表示画面生成用信号を、出力部７３を介して表示装置４に送信する。表示装置４は、画像管理装置１から送信された表示画面生成用信号に基づいて、サムネイルファイル６１を表示画面４ａ上に表示する。表示装置４においてコンテンツファイル６０を表示する態様の具体的内容についても、既に説明したようなサムネイル表示、スライドショー表示等種々の態様が可能であるので、ここでは詳細な説明は省略する。表示装置４におけるコンテンツファイル６０の表示態様はユーザにより適宜設定可能である。
【０１０５】
ステップＳ３８では、ユーザが入力指示装置５の操作部５ａを操作したか否かが判断され、ユーザが入力指示装置５の操作部５ａを操作した（ステップＳ３８においてＹＥＳ）場合は、プログラムはステップＳ３９に移行し、入力指示装置５がユーザの操作に基づく操作情報を画像管理装置１に送信する。一方、ユーザがその時点で入力指示装置５の操作部５ａを操作していない（ステップＳ３８においてＮＯ）場合は、プログラムはステップＳ４３に移行する。
【０１０６】
ステップＳ４０では、画像管理装置１の入力部７２が入力指示装置５から操作情報を受信したか否かが判断され、入力部７２が操作情報を受信した（ステップＳ４０においてＹＥＳ）場合は、プログラムはステップＳ４１に移行する。一方、入力部７２がその時点で操作情報を受信していない場合（ステップＳ４０においてＮＯ）、プログラムはステップＳ４５に移行する。
【０１０７】
ステップＳ３８における入力指示装置５の操作入力、及びステップＳ３９における操作情報の受信において、ユーザが操作部５ａを用いて入力した操作入力及びこれに基づく操作情報は、後述する閲覧条件の再入力、コンテンツファイル６０の拡大表示、及びタグデータの編集入力を除く操作入力である。好ましくは、操作入力及び操作情報は、閲覧条件に基づくコンテンツファイル６０のうち、現在表示画面４ａに表示されているコンテンツファイル６０と異なるコンテンツファイル６０を表示するための操作入力等である。
【０１０８】
ステップＳ４１では、ステップＳ３５で作成した中間リスト１０５と、ステップＳ４０で入力部７２が受信した操作入力及びこれに基づく操作情報とに基づいて、表示対象リスト作成部７７が表示リスト１０６を更新する。ステップＳ４２では、表示制御部７５が、ステップＳ４１で更新された表示リスト１０６に記載されたコンテンツファイル６０に対応するサムネイルファイル６１を表示装置４の表示画面４ａに表示するための表示画面生成用信号を、出力部７３を介して表示装置４に送信する。
【０１０９】
ステップＳ４３〜ステップＳ５７までの動作は、図８のステップＳ１２〜図９のステップＳ２９までの動作と同様であるので、ここでの説明は省略する。但し、サムネイルファイル６１、コンテンツファイル６０を表示するための表示画面生成用信号は画像管理装置１の表示制御部７５から表示装置４に送信される。
【０１１０】
また、入力指示装置５からの閲覧条件を入力部７２が受信する度に、表示対象リスト作成部７７はそれまで記憶部７１に格納していた中間リスト１０５及び表示リスト１０６を破棄し、入力された閲覧条件に基づいて新たに中間リスト１０５及び表示リスト１０６を作成する。言い換えれば、入力指示装置５から新たに閲覧条件を受信するまでは、表示対象リスト作成部７７は中間リスト１０５及び表示リスト１０６を更新することがない。従って、仮に、表示装置４の表示画面４ａにおいて、特定のアルバム５１に係るコンテンツファイル６０が表示されている状態で、閲覧装置２からの入力に基づいてこの特定のアルバム５１に属するコンテンツファイル６０が増減しても、入力指示装置５から受信した閲覧条件に基づいて表示対象リスト作成部７７が新たに中間リスト１０５及び表示リスト１０６を作成するまでは、閲覧装置２からの入力に基づくアルバム５１の更新結果は表示装置４の表示画面４ａに反映されない。
【０１１１】
ステップＳ５８では、入力指示装置５から送信された編集後のタグデータを用いて、表示制御部７５が、表示リスト１０６に記載されたコンテンツファイル６０に対応するサムネイルファイル６１を表示装置４の表示画面４ａに表示するための表示画面生成用信号を、出力部７３を介して表示装置４に送信する。表示装置４は、画像管理装置１から送信された表示画面生成用信号に基づいて、サムネイルファイル６１を表示画面４ａ上に表示する。
【０１１２】
（第１実施形態の効果）
以上詳細に説明したように、本実施形態の画像管理システムＳでは、表示対象リスト作成部７７は、表示装置４により表示画面４ａが表示されている状態で、入力指示装置５から表示対象となるコンテンツファイル６０の変更指示の入力信号を受け付けたら、表示対象リスト６３を更新しているので、例えば、閲覧装置２からの入力信号に基づいて関連情報更新部７６がタグテーブル６２を更新する度に、表示制御部７５が表示装置４に送信すべき表示画面生成用信号を更新する態様と比較して、入力指示装置５からの入力信号という、ユーザが明示的に操作を行ったことに基づく入力信号を契機として、表示対象リスト作成部７７が表示対象リスト６３を更新する。従って、本実施形態によれば、ユーザがコンテンツファイル６０（含むサムネイルファイル６１）を閲覧する動作を行っている際に、ユーザが予期しうるタイミングで閲覧結果を変更することが可能になる。
【０１１３】
（第２実施形態）
上述した第１実施形態では、画像管理装置１は記憶部７１を備え、この記憶部７１内にコンテンツファイル６０が格納されていた。しかしながら、画像管理装置１は内部にコンテンツファイル６０を格納しておく必要はなく、画像管理装置１とは別体の記憶装置を設け、画像管理装置１は、この記憶装置からコンテンツファイル６０の少なくとも一部を受け入れても、本発明を実現することが可能である。
【０１１４】
図１４は、本発明の第２実施形態である画像管理装置１の機能構成を示す機能ブロック図である。
【０１１５】
図１４において、本実施形態の画像管理装置１には記憶装置１１０が接続され、この記憶装置１１０には、第１実施形態と同様のコンテンツファイル６０が格納されている。記憶装置１１０は、例えば外付けのＨＤＤ装置、ＵＳＢフラッシュメモリ装置、メモリーカード７等である。画像管理装置１と記憶装置１１０との接続形態は、画像管理装置１と記憶装置１１０との間で、コンテンツファイル６０の少なくとも一部、例えばコンテンツデータ６０ａとタグデータ６０ｂの少なくとも一部の送受信が可能な形態であれば特段の限定はなく、ケーブルを介して接続する形態、無線ＬＡＮ等、電波を介して接続する形態、さらには、メモリーカード７を画像管理装置１のカードインタフェース２３２（図２参照）に挿入する形態等、周知の接続形態が採用可能である。
【０１１６】
また、本実施形態の画像管理装置１は、制御部７０、記憶部７１、データ入力部７２ａ、指示入力部７２ｂ及び表示出力部７３ａを備える。なお、以下の説明において、上述の第１実施形態と同様の構成要素については同一の符号を付し、その説明を簡略化する。
【０１１７】
本実施形態の制御部７０は、第１実施形態の制御部７０と比較して、画像取り込み部７４を備えていないことを除き、その機能構成は第１実施形態の制御部と同一である。また、表示制御部７５は、データ入力部７２ａを介して記憶装置１１０に格納されたコンテンツファイル６０を受け入れ、各種動作を行う。また、本実施形態の記憶部７１にはサムネイルファイル６１、タグテーブル６２及び表示対象リスト６３が格納されている。
【０１１８】
データ入力部７２ａは、画像管理装置１に接続された記憶装置１１０からコンテンツファイル６０を受け入れる。指示入力部７２ｂは入力指示装置５からの入力信号を受け入れる。そして、表示出力部７３ａは、コンテンツファイル６０またはサムネイルファイル６１を表示装置４の表示画面４ａ上に表示するための表示画面生成用信号を出力する。
【０１１９】
従って、本実施形態によっても、上述の第１実施形態と同様の効果を得ることができる。特に、本実施形態によれば、画像管理装置１と記憶装置１１０とを別体にすることが可能であり、例えば、記憶装置１１０をＷＡＮ１３上に存在する外部サーバ１４（図１参照）で構成することも可能であり、画像管理装置１全体の構成の簡略化を図ることができる。
【０１２０】
（変形例）
本発明の画像管理装置１、画像管理システムＳ、画像管理装置１におけるコンテンツ表示方法及びプログラムは、その細部が上述した各実施形態に限定されず、種々の変形例が可能である。
【０１２１】
一例として、上述の各実施形態では、表示対象リスト作成部７７は、表示装置４により表示画面４ａが表示されている状態で、入力指示装置５から表示対象となるコンテンツファイル６０の変更指示の入力信号を受け付けたら、表示対象リスト６３を更新していたが、閲覧装置２から表示対象となるコンテンツファイル６０の変更指示の入力信号を受け付けたら、表示対象リスト６３を更新してもよい。また、上述した各実施形態では画像管理システムＳが１台の閲覧装置２のみ備えていたが、複数台の閲覧装置２を備えてもよい。
【０１２２】
そして、上述の各実施形態において、画像管理装置１及び閲覧装置２を動作させるプログラムはＲＯＭ２１、ＨＤＤ部２６等に格納されて提供されていたが、不図示の光学ディスクドライブ、ＵＳＢインタフェース２３３、４７３等を用いて、プログラムが格納されたＤＶＤ（Digital Versatile Disc）、ＵＳＢフラッシュメモリ装置、メモリーカード７等を接続し、このＤＶＤ等からプログラムを画像管理装置１、閲覧装置２に読み込んで動作させてもよい。また、ＷＡＮ１３上の外部サーバ１４内にプログラムを格納しておき、ネットワークインタフェース２５を介してこのプログラムを画像管理装置１に読み込んで動作させてもよい。さらに、上述の各実施形態において、画像管理装置１、閲覧装置２は複数のハードウェア要素により構成されていたが、これらハードウェア要素の一部の動作をＣＰＵ２０、４０がプログラムの動作により実現することも可能である。加えて、上述の各実施形態ではＨＤＤ部２６を用いていたが、ＨＤＤ部２６以外の記憶媒体、一例としてＳＳＤ（Solid State Drive）装置やメモリーカード等の周知の記憶媒体を用いることも可能である。
【符号の説明】
【０１２３】
Ｓ    画像管理システム
１    画像管理装置
２    閲覧装置
２ａ、４ａ  表示画面
３    撮像装置
４    表示装置
５    入力指示装置
５ａ  操作部
２０、４０  ＣＰＵ
２１、４１  ＲＯＭ
２２、４２  ＲＡＭ
２３、４７  入出力デバイス
２４    ＨＤＭＩインタフェース
２５    ネットワークインタフェース
２６    ＨＤＤ部
２７、４８  無線ＬＡＮインタフェース
４３    表示デバイス
４４    カメラデバイス
４５    内部ストレージ部
４７    入出力デバイス
４８    無線ＬＡＮインタフェース
５１    アルバム
６０    コンテンツファイル
６０ａ  コンテンツデータ
６０ｂ  タグデータ
６１    サムネイルファイル
６２    タグテーブル
６３    表示対象リスト
７０    制御部
７１    記憶部
７２    入力部
７２ａ  データ入力部
７２ｂ  指示入力部
７３    出力部
７３ａ  表示出力部
７４    画像取り込み部
７５    表示制御部
７６    関連情報更新部
７７    表示対象リスト作成部
７８    コンテンツデータ送信部
７９    表示部
８０    操作部
１１０  記憶装置
【図１】
0006303854.tif 000002
【図２】
0006303854.tif 000003
【図３】
0006303854.tif 000004
【図４】
0006303854.tif 000005
【図５】
0006303854.tif 000006
【図６】
0006303854.tif 000007
【図７】
0006303854.tif 000008
【図８】
0006303854.tif 000009
【図９】
0006303854.tif 000010
【図１０】
0006303854.tif 000011
【図１１】
0006303854.tif 000012
【図１２】
0006303854.tif 000013
【図１３】
0006303854.tif 000014
【図１４】
0006303854.tif 000015